(57)【要約】【課題】  手摺りに荷重がかかった時のモーメントを少なくして強度を確保することができ、また、取り付けが容易な便器手摺りの取付構造を提供する。【解決手段】  便器１の側面２ａの後方に凹み状に凹部５が形成され、この凹部５内の便器後部方向を向く面５ａを、手摺り８の支持金具９を固定する支持面として、支持金具９を介して手摺り８を便器１に取り付ける。【選択図】  図１
2007020817.tif 000002
【特許請求の範囲】
【請求項１】
便器後方側面に凹部が形成され、該凹部内の便器後部方向を向く面を、手摺りの支持金具の支持面としたことを特徴とする便器手摺りの取付構造。
【請求項２】
前記支持面に設けた孔に前記支持金具を固定したことを特徴とする請求項１に記載の便器手摺りの取付構造。
【請求項３】
便器の側面に凹部が形成され、該凹部内に手摺りの支持金具を嵌合固定させたことを特徴とする便器手摺りの取付構造。
【請求項４】
前記支持金具をカバーで覆蓋したことを特徴とする請求項１または請求項２に記載の便器手摺りの取付構造。
【請求項５】
前記支持面と前記支持金具間にスペーサーを介装させたことを特徴とする請求項１に記載の便器手摺りの取付構造。
【発明の詳細な説明】
【技術分野】
【０００１】
本発明は、便器手摺りの取付構造に関するものである。
【背景技術】
【０００２】
従来、特許文献１に開示されているように、便器の後面に金属板を固定して、この金属板からアームを延ばし、アームの先端に肘掛けを設けた便器手摺りの取付構造がある。
【特許文献１】特開２００２−３６９７７０号公報
【発明の開示】
【発明が解決しようとする課題】
【０００３】
従来のような便器手摺りの取付構造においては、便器の後面に金属板で手摺りを固定するものであるため、便器への立ち座り時に手摺りに荷重をかけた時に、金属板の部分に大きなモーメントが作用し、強度的に不安定なものであった。
また、既存の便器にこのような手摺りを取り付けようとすると、後面側に金属板を取り付けるものであるため、便器を移動させる必要が生ずる場合が多く、後付けで手摺りを取り付けることが困難となるという問題点があった。
【課題を解決するための手段】
【０００４】
本発明は上記従来の問題点に鑑み案出したものであって、取付強度が大であり、また後付けも容易に行うことのできる便器手摺りの取付構造を提供するものであり、その請求項１は、便器後方側面に凹部が形成され、該凹部内の便器後部方向を向く面を、手摺りの支持金具の支持面としたことである。
【０００５】
また請求項２は、前記支持面に設けた孔に前記支持金具を固定したことである。
【０００６】
また請求項３は、便器の側面に凹部が形成され、該凹部内に手摺りの支持金具を嵌合固定させたことである。
【０００７】
また請求項４は、前記支持金具をカバーで覆蓋したことである。
【０００８】
また請求項５は、前記支持面と前記支持金具間にスペーサーを介装させたことである。
【発明の効果】
【０００９】
本発明の便器手摺りの取付構造は、便器後方側面に凹部が形成され、該凹部内の便器後部方向を向く面を、手摺りの支持金具の支持面としたことにより、手摺りに荷重がかかった時の支持金具に作用するモーメントが少なく、取付強度が大なものとなる。
また、手摺り取付時に便器を移動させたり、便器の局部洗浄装置等の部材を着脱する必要がなく、後付けも容易なものとなる。
【００１０】
また、支持面に設けた孔に支持金具を固定したことにより、便器の鋳込み成形時のエア抜き孔が凹部の支持面に形成されているため、このエア抜き孔を利用して、別途ボルト用の孔を形成させることなく、良好に支持金具を固定できるものとなる。
【００１１】
また、便器の側面に凹部が形成され、凹部内に手摺りの支持金具を嵌合固定させたことにより、手摺りの取付作業が容易となり、支持金具が凹部に嵌合されることで、手摺りに荷重がかかった時のモーメントを少なくして、取付強度を高めることができるものとなる。
【００１２】
また、支持金具をカバーで覆蓋したことにより、外観をフラットにでき、すっきりとした取付状態が得られ、掃除もし易いものとなる。
【００１３】
また、支持面と支持金具間にスペーサーを介装させたことにより、様々な便器における凹部の支持面の勾配に対応させて、手摺りの肘掛け部を良好に便器上に略水平に設置できるものとなる。
【実施例】
【００１４】
以下、本発明の実施例を図面に基づいて説明する。
図１は、手摺りを取り付けた便器の斜視図である。
便器１は、本体２の上面に開閉可能に便座３が設けられ、便座３の後方には、局部洗浄装置を内装したボックス４が設けられている。
【００１５】
この便器１の本体２は、図３に平面概略図で示すように、前後方向に延びる左右の側面２ａ，２ａのそれぞれの後方に凹み状に凹部５，５が形成されており、凹部５，５間には後方側へ一体状に延びてトラップ部２ｂが形成されている。
この左右の凹部５，５のそれぞれには、便器後部方向を向く支持面５ａ，５ａが形成され、この支持面５ａ，５ａには、例えば本体２を鋳込み成形する際に必要なエア抜き孔６，６が形成されており、このエア抜き孔６，６を利用して、ボルト７で手摺りの支持金具９を固定できるように構成されている。
【００１６】
手摺り８は、図２の斜視図で示すように、その下部に支持金具９を備えており、支持金具９は、便器の支持面５ａに当接固定される固定片９ａを有し、この固定片９ａの後方に垂直に立片９ｂが設けられ、この立片９ｂの上端と固定片９ａの上端は上片９ｃで連結され、また固定片９ａの下端と立片９ｂ間は下片９ｄで連結されており、立片９ｂの下端には、折り曲げ状に略水平に下端固定片９ｅが形成され、この下端固定片９ｅには、切り欠き状にボルト孔１１が形成されている。
また、前記固定片９ａには、１個または２個のボルト孔１０が形成されている。
【００１７】
支持金具９は、図１に示すように、便器本体２の凹部５内に側面側から嵌め込み、取付固定片９ａのボルト孔１０内にボルト７を通し、ボルト７を支持面５ａのエア抜き孔６内に通して、ボルト７を締め付けて、支持金具９の固定片９ａを強固に支持面５ａに当接させて固定することができ、更に、便器本体２を床面に固定しているボルトを、支持金具９の下端固定片９ｅのボルト孔１１に差し込んで、ボルトを介し下端固定片９ｅを便器本体２に固定することができる。
【００１８】
このように凹部５内に固定される支持金具９の上片９ｃから、外方へ突出して突出アーム８ａ，８ａが形成されており、この突出アーム８ａ，８ａは、水平状の下水平アーム８ｂに連結され、下水平アーム８ｂは後方側へ延びて、その後端で上方に立ち上がる垂直アーム８ｃが一体形成され、垂直アーム８ｃの上端で便器の上方側へ水平に延びる上水平アーム８ｄが一体形成されており、この上水平アーム８ｄには肘を載せることのできる肘掛け部８ｅが形成されている。
取付状態では、この肘掛け部８ｅは、便座３の上方側部に配置され、便器１に使用者が立ち座りする際に、この肘掛け部８ｅに肘を掛けて使用できるものである。
【００１９】
なお、この肘掛け部８ｅのほぼ真下位置に、前記支持金具９の固定片９ａが支持面５ａに固定されて取り付けられているため、肘掛け部８ｅに肘を載せて荷重を掛けた時に、荷重は、ほぼ真下の支持金具９の固定片９ａで支持されるため、荷重が掛かった時に、この固定片９ａにモーメントが作用することが少なく、そのため、肘掛け部８ｅに掛かる荷重を強固に固定片９ａと立片９ｂで支持することができ、強度的に優れたものとなって、安定して肘掛け部８ｅに荷重を掛けることができるものとなる。
【００２０】
なお、手摺り８は、便器の左右の凹部５，５のそれぞれに取り付けることもでき、片側の凹部５のみに取り付けることもできるものであり、この手摺り８を取り付ける際に、ボックス４内の局部洗浄装置等を着脱させる必要は全くなく、また便器１を移動させる必要もなく、既に設置されている便器１に対し側方側から良好に支持金具９を介して手摺り８を設置できるものであり、設置作業も容易なものとなる。
【００２１】
なお、図４の側面概略構成図で示すように、凹部５の支持面５ａは、便器１のタイプによりその傾斜勾配が異なるものが存在しているため、この支持面５ａに支持金具９の固定片９ａをボルト７で固定する際に、スペーサー１３を介在させてアジャストさせることができ、このスペーサー１３は、図５に示すような厚みの変化したものを用いることもでき、支持面５ａの傾斜勾配に対応させて、種々の断面形状の異なるスペーサー１３を介装させて手摺り８の肘掛け部８ｅがほぼ水平状態となるように調整して、手摺り８を取り付けることができるものである。
【００２２】
なお、図１のような状態では、便器の側面に支持金具９が露出するため、図６に示すようなカバー１２を用いて、この支持金具９を覆蓋できるものである。
即ち、カバー１２には、突出アーム８ａ，８ａを通すことのできるＵ字状に切り欠いたＵ字切欠１２ａ，１２ａが形成されており、図７の斜視図で示すように、便器の凹部５内に側面側から嵌め込んで良好に支持金具９を覆蓋でき、図７のようにカバー１２を凹部５に嵌め込んだ状態では、便器本体の側面２ａが後方側まで連続したフラット状態となり、意匠性に優れたものとなり、また掃除もし易いものとなる。
【００２３】
次に、図８の斜視図で示すものは変更例であり、図８では、支持金具を四角箱状の嵌合支持金具１９としたものであり、この嵌合支持金具１９を側面側から嵌め込みできる凹み状の四角い嵌合凹部１５が予め便器本体の側面２ａに形成されており、この嵌合凹部１５内に側面側より嵌合支持金具１９を嵌合させて取り付けることができるものである。
なお、嵌合支持金具１９から外側へ突出状に下水平アーム８ｂが形成され、下水平アーム８ｂから上方へ立ち上げて垂直アーム８ｃが形成され、垂直アーム８ｃの上端で前方向に水平に延びる上水平アーム８ｄが形成され、この上水平アーム８ｄに肘掛け部８ｅが形成されたものである。
【００２４】
この図８のタイプでは、取付作業が容易なものとなり、ボックス４内の機器や本体２を移動させることなく、側面から後付けで容易に手摺り８を取り付けできるものとなり、便器の左右両側に取り付けることも、また片側のみに取り付けることも容易である。
【図面の簡単な説明】
【００２５】
【図１】手摺りを取り付けた状態の便器の斜視構成図である。
【図２】手摺りの斜視構成図である。
【図３】便器本体の平面概略構成図である。
【図４】便器の後方側面に形成されている凹部に支持金具を取り付けた状態の概略側面構成図である。
【図５】形状の異なるスペーサーを介装させて支持金具を取り付けた状態の図４に対応する側面概略構成図である。
【図６】カバーを裏側から見た斜視構成図である。
【図７】カバーで支持金具を覆蓋した状態の便器の斜視構成図である。
【図８】便器の側面に形成された嵌合凹部内に嵌め込むタイプの手摺りの取り付け前の分解斜視構成図である。
【符号の説明】
【００２６】
１  便器
２  本体
２ａ  側面
２ｂ  トラップ部
３  便座
４  ボックス
５  凹部
５ａ  支持面
６  エア抜き孔
７  ボルト
８  手摺り
８ａ  突出アーム
８ｂ  下水平アーム
８ｃ  垂直アーム
８ｄ  上水平アーム
８ｅ  肘掛け部
９  支持金具
９ａ  固定片
９ｂ  立片
９ｃ  上片
９ｄ  下片
９ｅ  下端固定片
１０，１１  ボルト孔
１２  カバー
１２ａ  Ｕ字切欠
１３  スペーサー
１５  嵌合凹部
１９  嵌合支持金具
【図１】
2007020817.tif 000003
【図２】
2007020817.tif 000004
【図３】
2007020817.tif 000005
【図４】
2007020817.tif 000006
【図５】
2007020817.tif 000007
【図６】
2007020817.tif 000008
【図７】
2007020817.tif 000009
【図８】
2007020817.tif 000010